(57)【要約】無線ネットワークにおける省電力配信のための、マルチキャストアドレス信号伝達に関する種々の実施形態が開示される。例示的実施形態によると、無線ノードは、無線ネットワーク102における１つ以上の受信側ノードのための計画的データ伝送時間を識別するために、管理フレーム201（例えば、PSMPフレーム）を伝送してもよい。管理フレームは、例えば、マルチキャスト伝送を示す値に設定される１つ以上の第1のフィールド（225または832）、マルチキャストアドレスを識別する第2のフィールド（233Bまたは838）、マルチキャスト伝送の時間を識別する第3のフィールド（227または834）、およびマルチキャスト伝送の継続時間を識別する第4のフィールド（229または836）などの、マルチキャスト伝送に関する多数のフィールドを含んでもよい。 【選択図】図2
2009528744.tif 000002
【特許請求の範囲】
【請求項１】
伝送されるマルチキャスト伝送に関する１つ以上のパラメータを識別するために、無線ネットワークにおいて管理フレーム（Management Frame）（200,201）を伝送することを含む方法であって、前記管理フレームが、
マルチキャスト伝送を示す値に設定される第1のフィールド（225または832）と、
マルチキャストアドレスを識別する第2のフィールド（233Bまたは838）と、
前記マルチキャスト伝送の時間を識別する第3のフィールド（227または834）と、
前記マルチキャスト伝送の継続時間（Duration）を識別する第4のフィールド（229または836）と、
を含む、方法。
【請求項２】
前記管理フレームは、パワーセーブ・マルチポール（Power Save Multi Poll; PSMP）フレーム（200）を含み、前記伝送することは、
PSMPシーケンスにおいて伝送される計画的マルチキャスト伝送（scheduled multicast transmission）に関連する１つ以上のパラメータを識別するために、前記無線ネットワークにおいて前記パワーセーブ・マルチポール（PSMP）フレームを伝送することを含み、前記PSMPフレームは、
前記PSMPシーケンス中に、前記マルチキャスト伝送の前記時間を識別する前記第3のフィールドであって、ダウンリンク伝送（Downlink Transmission; DLT）開始オフセットフィールドを含む前記第3のフィールドと、
前記マルチキャスト伝送の前記継続時間を識別する前記第4のフィールドであって、ダウンリンク伝送（DLT）継続時間フィールドを含む前記第4のフィールドと、
を含む、請求項1に記載の方法。
【請求項３】
前記無線ネットワークにおいて管理フレームを伝送することは、無線ネットワークにおいてパワーセーブ・マルチポール（PSMP）フレームを伝送することを含む、請求項1に記載の方法。
【請求項４】
前記無線ネットワークにおいて管理フレームを伝送することは、無線ネットワークにおいてIEEE 802.11nパワーセーブ・マルチポール（PSMP）フレームを伝送することを含む、請求項1に記載の方法。
【請求項５】
無線ネットワークの無線ノードに設けられる装置（500）であって、
計画的マルチキャストデータ伝送時間（scheduled multicast data transmission time）を識別するために、ブロードキャスト管理フレーム（broadcast management frame）を伝送するように構成され、前記ブロードキャスト管理フレームは、マルチキャストを示す値に設定される第1のフィールド（225または832）と、可能性のある複数のマルチキャストアドレスのうちの選択された１つを識別する第2のフィールド（233Bまたは838）と、前記マルチキャストデータ伝送の時間を示すダウンリンク伝送開始オフセット（227または834）と、前記マルチキャストデータ伝送の継続時間を示すダウンリンク伝送継続時間（229または836）と、を含む、装置。
【請求項６】
前記ダウンリンク伝送開始オフセットによって示されるおおよその前記時間に、１つ以上のマルチキャストデータフレームを前記マルチキャストアドレスに伝送するようにさらに構成される、請求項5に記載の装置。
【請求項７】
前記ブロードキャスト管理フレームは、パワーセーブ・マルチポール（PSMP）フレームを含む、請求項5に記載の装置。
【請求項８】
前記ブロードキャスト管理フレームは、IEEE 802.11nパワーセーブ・マルチポール（PSMP）フレームを含む、請求項5に記載の装置。
【請求項９】
無線ネットワークを介して無線通信するために設けられる装置（500）であって、
コンピュータ機器（504）と、
前記コンピュータ機器上で実行される際に、前記コンピュータ機器が、
・  無線ネットワークにおける１つ以上の受信側ノードと、データ伝送スケジュールを確立し（610）、
・  データ伝送サブスケジュールを識別するために、管理フレームを前記１つ以上の受信側ノードに伝送する（620）
ようにする命令と、
を含み、前記管理フレームが、
１つ以上のユニキャスト伝送の各々ためのユニキャスト情報フィールド（240または810）であって、局ID、前記ユニキャスト伝送のダウンリンク伝送時間または開始オフセット、および前記ユニキャスト伝送のダウンリンク伝送継続時間を少なくとも含むユニキャスト情報フィールドと、
マルチキャスト伝送のためのマルチキャスト情報フィールド（245または830）であって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、
を含む、装置。
【請求項１０】
前記ユニキャスト情報フィールドは、ユニキャストデータ伝送のためのSTA情報フィールドを含み、ユニキャストデータ伝送のための前記STA情報フィールドは、IEEE 802.11nパワーセーブ・マルチポール（PSMP）フレーム内に提供される、請求項9に記載の装置。
【請求項１１】
前記マルチキャスト情報フィールドは、マルチキャストデータ伝送のためのSTA情報フィールドを含み、マルチキャストデータ伝送のための前記STA情報フィールドは、IEEE 802.11nパワーセーブ・マルチポール（PSMP）フレーム内に提供される、請求項9に記載の装置。
【請求項１２】
１つ以上の無線受信側ノードまたは局のためのデータ伝送スケジュールを示すために、無線ネットワークを介して管理フレームを伝送すること（710）を含む方法であって、前記管理フレームが、
１つ以上のユニキャスト伝送の各々ためのユニキャスト情報フィールド（240または810）であって、局ID、前記ユニキャスト伝送のダウンリンク伝送時間または開始オフセット、および前記ユニキャスト伝送のダウンリンク伝送継続時間を少なくとも含むユニキャスト情報フィールドと、
マルチキャスト伝送のためのマルチキャスト情報フィールド（245または830）であって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、
を含む、方法。
【請求項１３】
前記伝送することは、パワーセーブ・マルチポール（PSMP）フレームを伝送することを含み、前記ユニキャスト情報フィールドは、ユニキャストデータ伝送のためのSTA情報フィールドを含み、前記マルチキャスト情報フィールドは、マルチキャストデータ伝送のためのSTA情報フィールドを含む、請求項12に記載の方法。
【請求項１４】
前記伝送することは、IEEE 802.11nパワーセーブ・マルチポール（PSMP）フレームを伝送することを含む、請求項12に記載の方法。
【請求項１５】
プロセッサにより実行される際に、１つ以上の無線受信側ノードまたは局のためのデータ伝送スケジュールを示すために、無線ネットワークを介して管理フレームを伝送すること（710）をもたらす命令を格納する記録媒体を備える製品であって、前記管理フレームが、
１つ以上のユニキャスト伝送の各々ためのユニキャスト情報フィールド（240または810）であって、局ID、前記ユニキャスト伝送のダウンリンク伝送時間または開始オフセット、および前記ユニキャスト伝送のダウンリンク伝送継続時間を少なくとも含むユニキャスト情報フィールドと、
マルチキャスト伝送のためのマルチキャスト情報フィールド（245または830）であって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、
を含む、製品。
【請求項１６】
無線送受信機と、
１つ以上の無線受信側ノードまたは局のためのデータ伝送スケジュールを示すために、無線ネットワークを介して管理フレームを伝送する（710）ように構成される制御装置と、
を備える装置であって、前記管理フレームが、
１つ以上のユニキャスト伝送の各々ためのユニキャスト情報フィールド（240または810）であって、局ID、前記ユニキャスト伝送のダウンリンク伝送時間または開始オフセット、および前記ユニキャスト伝送のダウンリンク伝送継続時間を少なくとも含むユニキャスト情報フィールドと、
マルチキャスト伝送のためのマルチキャスト情報フィールド（245または830）であって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、
を含む、装置。
【請求項１７】
前記管理フレームは、パワーセーブ・マルチポール（PSMP）フレームを含む、請求項16に記載の装置。
【請求項１８】
前記管理フレームは、IEEE 802.11nパワーセーブ・マルチポール（PSMP）フレームを含む、請求項16に記載の装置。
【発明の詳細な説明】
【関連出願】
【０００１】
本出願は、名称が「無線ネットワークにおける省電力配信のためのマルチキャストアドレス信号伝達」である、2006年2月28日に出願された米国仮出願第60/777,619号に基づく優先権を主張し、この米国仮出願第60/777,619号の開示は、参照することによって本明細書に組み込まれる。
【背景技術】
【０００２】
無線ローカルエリアネットワーク（Wireless Local Area Network; WLAN）アクセスの急速な普及や、WLANサービスエリアの需要増加により、非常に多くのアクセスポイント（Access Point; AP）の設置が行なわれている。最も一般的なWLAN技術については、IEEE 802.11b、IEEE 802.11g、およびIEEE 802.11aの仕様などの、電気電子技術者協会（Institute of Electrical and Electronics Engineers; IEEE）のIEEE 802.11系の産業仕様に記載されている。多数の異なる802.11の作業部会は、既存の802.11技術の改善に関する仕様の展開に従事している。IEEE 802.11nの作業部会は、名称が「無線LAN媒体アクセス制御（ Medium Access Control; MAC）および物理層（Physical Layer; PHY）の仕様書:より高いスループットのための強化」2006年1月IEEE 802.11n.D0.01である高スループット（High Throughput; HT）仕様書ドラフトを展開している。
【０００３】
802.11n HTのドラフト仕様書によって、パワーセーブ・マルチポール（Power Save Multi Poll; PSMP）管理フレームの使用が提案される。この管理フレームは、データ伝送スケジュール（例えば、アップリンクおよび／またはダウンリンク伝送の時間および期間）を、１つ以上のPSMP受信側ノードに提供するためにAPにより使用され得るMAC制御フレームである。しかしながら、802.11nのPSMPフレームは、マルチキャストデータ伝送に適切に対応しない。
【概要】
【０００４】
無線ネットワークにおける省電力配信のためのマルチキャストアドレス信号伝達に関する種々の実施形態が開示される。
【０００５】
例示的実施形態によると、無線ノードは、無線ネットワークにおける１つ以上の受信側ノードの各々の計画的データ伝送（scheduled data transmission）の時間および方向（例えば、アップリンクおよび／またはダウンリンク）を識別するために、管理フレーム（例えば、PSMPフレーム）を伝送してもよい。前記管理フレームは、計画的ユニキャストデータ伝送（scheduled unicast data transmission）に関連する情報を提供するために、あるいは、計画的マルチキャストデータ（scheduled multicast data transmission）伝送のためのマルチキャストアドレスを識別するために、少なくとも１つの多目的フィールドを含んでもよい。
【０００６】
別の例示的実施形態によると、PSMPフレームは、伝送されるマルチキャスト伝送に関する１つ以上のパラメータを識別するために、無線ネットワークにおいて伝送されてもよい。前記PSMPフレームは、マルチキャスト伝送を示す値に設定される第1のフィールドと、マルチキャストアドレスを識別する第2のフィールドと、前記マルチキャスト伝送の時間（例えば、DLT開始オフセット）を識別する第3のフィールドと、前記マルチキャスト伝送の継続時間（例えば、DLT継続時間）を識別する第4のフィールドと、を含んでもよい。
【０００７】
別の例示的実施形態によると、無線ネットワークの無線ノードに、次のような装置が提供されうる。この装置は、制御装置と、前記制御装置に接続されるメモリと、前記制御装置に接続される無線送受信機とを備えてもよい。前記装置は、前記無線ネットワークにおける１つ以上の受信側ノードの各々の計画的データ伝送の時間および方向を識別するために、管理フレームを送信するように構成されてもよい。前記管理フレームは、少なくとも１つの多目的フィールドを含んでもよい。前記少なくとも１つの多目的フィールドは、計画的ユニキャストデータ伝送に関連する情報を提供してもよく、あるいは計画的マルチキャストデータ伝送のためのマルチキャストアドレスを識別してもよい。
【０００８】
別の例示的実施形態によると、無線ネットワークの無線ノードにおいて次のような装置が提供されうる。前記装置は、計画的マルチキャストデータ伝送時間を識別するために、ブロードキャスト管理フレームを伝送するように構成されてもよい。前記ブロードキャスト管理フレームは、マルチキャストを示す値に設定される第1のフィールドと、可能性のある複数のマルチキャストアドレスのうちの選択された１つを識別する第2のフィールドと、前記マルチキャストデータ伝送の時間を示すダウンリンク伝送開始オフセットと、前記マルチキャストデータ伝送の継続時間を示すダウンリンク伝送継続時間と、を含んでもよい。
【０００９】
別の例示的実施形態によると、コンピュータ機器および命令を備える次のような装置が提供されうる。前記コンピュータ機器上で実行される際に、前記命令によって、前記コンピュータ機器が、無線ネットワークにおける１つ以上の受信側ノードと、データ伝送スケジュールを確立し、また、データ伝送サブスケジュールを識別するために、データ伝送サブスケジュール中の時点において、管理フレームを前記１つ以上の受信側ノードに伝送するようにする。前記管理フレームは、少なくとも１つの二重目的フィールドを含んでもよい。前記二重目的フィールドは、計画的ユニキャストデータ伝送に関連する情報を提供してもよく、あるいは、計画的マルチキャストデータ伝送のためのマルチキャストアドレスを識別してもよい。
【００１０】
別の例示的実施形態によると、記録媒体を備える次のような製品が提供されうる。前記記録媒体は、プロセッサによる実行時に、無線ネットワークにおける１つ以上の受信側ノードの各々の計画的データ伝送の時間および方向を識別するために、管理フレームを伝送することをもたらす命令を格納してもよい。前記管理フレームは、少なくとも１つの多目的フィールドを含んでもよい。前記多目的フィールドは、計画的ユニキャストデータ伝送に関連する情報を提供してもよく、あるいは、計画的マルチキャストデータ伝送のためのマルチキャストアドレスを識別してもよい。
【００１１】
別の例示的実施形態によると、次のような制御装置を含む、無線ノードにおける装置が提供されうる。前記制御装置は、計画的マルチキャストデータ伝送時間を識別するために、ブロードキャスト管理フレームを送信するようにプログラム可能であってもよく、マルチキャストを示す値に設定される第1のフィールドと、可能性のある複数のマルチキャストアドレスのうちの選択された１つを識別する第2のフィールドと、前記マルチキャストデータ伝送の時間を示すダウンリンク伝送開始オフセットと、前記マルチキャストデータ伝送の継続時間を示すダウンリンク伝送継続時間と、を含んでもよい。
【００１２】
別の例示的実施形態によると、次のような装置が、無線ネットワークを介する無線通信に提供されることができる。この装置は、コンピュータ機器（例えば、制御装置またはプロセッサ）と、前記コンピュータ機器上での実行時に、無線ネットワークにおける１つ以上の受信側ノードとデータ伝送スケジュールを確立し、また、データ伝送サブスケジュール時間および方向を識別するために、管理（例えば、PSMP）フレームを前記１つ以上の受信側ノードに伝送するようにする命令と、を含んでもよい。
【００１３】
前記管理フレームは、１つ以上のユニキャスト伝送の各々ためのユニキャスト情報フィールドであって、局ID、前記ユニキャスト伝送のダウンリンク伝送時間または開始オフセット、および前記ユニキャスト伝送のダウンリンク伝送継続時間を少なくとも含むユニキャスト情報フィールドと、マルチキャスト伝送のためのマルチキャスト情報フィールドであって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、を含んでもよい。
【００１４】
別の例示的実施形態によると、方法が、１つ以上の無線受信側ノードまたは局のためのデータ伝送スケジュールを示すために、無線ネットワークを介して管理フレームを伝送することを含むことができる。前記管理フレームは、１つ以上のユニキャスト伝送の各々ためのユニキャスト情報フィールドであって、局ID、前記ユニキャスト伝送のダウンリンク伝送時間または開始オフセット、および前記ユニキャスト伝送のダウンリンク伝送継続時間を少なくとも含むユニキャスト情報フィールドと、マルチキャスト伝送のためのマルチキャスト情報フィールドであって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、を含んでもよい。
【００１５】
別の例示的実施形態によると、製品が記録媒体を備えてもよく、この記録媒体は、プロセッサまたは制御装置による実行時に、１つ以上の無線受信側ノードまたは局のためのデータ伝送スケジュールを示すために、無線ネットワークを介して管理フレームを伝送することをもたらす命令を格納してもよい。前記管理フレームは、１つ以上のユニキャスト伝送の各々ためのユニキャスト情報フィールドであって、局ID、前記ユニキャスト伝送のダウンリンク伝送時間または開始オフセット、および前記ユニキャスト伝送のダウンリンク伝送継続時間を少なくとも含むユニキャスト情報フィールドと、マルチキャスト伝送のためのマルチキャスト情報フィールドであって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、を含んでもよい。
【００１６】
さらに別の例示的実施形態において、装置が、無線送受信機および制御装置を備えてもよい。前記制御装置は、１つ以上の無線受信側ノードまたは局のためのデータ伝送スケジュールを示すために、無線ネットワークを介して管理フレームを伝送するように構成されてもよい。前記管理フレームは、１つ以上のユニキャスト伝送の各々ためのユニキャスト情報フィールドであって、局ID、前記ユニキャスト伝送のダウンリンク伝送時間または開始オフセット、および前記ユニキャスト伝送のダウンリンク伝送継続時間を少なくとも含むユニキャスト情報フィールドと、マルチキャスト伝送のためのマルチキャスト情報フィールドであって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、を含んでもよい。
【００１７】
１つ以上の実装に関する詳細について、添付の図面および以下の説明において記載する。その他の特徴については、説明および図面ならびに請求項により明白になるだろう。
【図面の簡単な説明】
【００１８】
【図１】例示的実施形態に従う無線ネットワークを示すブロック図である。
【００１９】
【図２】例示的実施形態に従うパワーセーブ・マルチポール（Power Save Multi Poll; PSMP）管理フレームなどの、マルチポールメッセージのフォーマットを示す図である。
【００２０】
【図３】例示的実施形態に従う無線ノードの動作を示すフローチャートである。
【００２１】
【図４】別の例示的実施形態に従う無線ノードの動作を示すフローチャートである。
【００２２】
【図５】例示的実施形態に従う無線ノードに設けられ得る装置を示すフローチャートである。
【００２３】
【図６】別の例示的実施形態に従う無線ノードの動作を示すフローチャートである。
【００２４】
【図７】さらに別の例示的実施形態に従う無線ノードの動作を示すフローチャートである。
【００２５】
【図８Ａ】例示的実施形態に従うユニキャスト伝送のためのSTA情報フィールドのフォーマットを示す図である。
【００２６】
【図８Ｂ】例示的実施形態に従うブロードキャスト伝送のためのSTA情報フィールドのフォーマットを示す図である。
【００２７】
【図８Ｃ】例示的実施形態に従うマルチキャスト伝送のためのSTA情報フィールドのフォーマットを示す図である。
【詳細な説明】
【００２８】
図面を参照するにあたって、図面における同一数字は同一要素を示す。図1は、例示的実施形態に従う無線ネットワークを示すブロック図である。無線ネットワーク102は、アクセスポイント（Access Point; AP）104または基地局、ならびに局106および108などの１つ以上の移動局などの、多数の無線ノードまたは無線局を含んでもよい。無線ネットワーク102において１つのAP104と２つの移動局106、108しか図示されないが、任意の数のAPおよび局が設けられてもよい。ネットワーク102における各局（例えば、局106、108）は、AP104と無線通信してもよく、また、相互に直接通信してもよい。図示されないが、AP104は、ローカルエリアネットワーク（Local Area Network; LAN）、広域ネットワーク（Wide Area Network; WAN）、インターネットなどの固定ネットワークに接続されてもよく、また、その他の無線ネットワークにも接続されてもよい。
【００２９】
本明細書に記載される種々の実施形態は、WLANネットワーク（例えば、IEEE 802.11型ネットワーク）、セルラーネットワーク、無線ネットワーク（radio network）、またはその他の無線ネットワーク（wireless network）などの多種多様なネットワークおよび技術に適用可能であってもよい。別の例示的実施形態において、種々の実施例および実施形態は、例えば、複数のメッシュポイント（例えば、アクセスポイント）が有線リンクおよび無線リンクを介して接続され得るメッシュ無線ネットワークに適用されてもよい。本明細書に記載される種々の実施形態は、APまたは基地局が局と通信可能である（例えば、通信はAPを介して発生する）インフラストラクチャモードにおいて、ならびに無線局が、例えばピアツーピアネットワークを介して直接通信可能であるアドホックモードにおいて、無線ネットワークに適用されてもよい。
【００３０】
用語の「無線ノード」または「ノード」またはその同等物には、例えば、無線局、アクセスポイント（Access Point; AP）または基地局、無線携帯情報端末（Personal Digital Assistant; PDA）、携帯電話機、802.11WLAN電話機、無線メッシュポイント、またはその他の任意の無線機器を含めてもよい。本明細書に記載の種々の実施形態を実装するために使用され得る無線機器の例は、ほんの数個に過ぎず、本開示はこれらの例に限定されない。
【００３１】
例示的実施形態において、ビーコンメッセージまたはプローブ応答（例えば、APから）において、ならびにアソシエーション要求または再アソシエーション要求（例えば、局から）を介して、能力フィールド（例えば、ノードがPSMP対応であるか否かを示す）を受信することによって、無線ノード（例えば、AP104または局106、108）は、その他のノードの能力を決定してもよい。AP104は、１つ以上の無線局106、108またはノードとアソシエーションしてもよい。PSMP対応の局106、108は、PSMP受信局（PSMPフレームを受信）またはPSMP受信側ノードと呼ばれてもよく、一方AP104は、PSMP送信局と呼ばれてもよい。
【００３２】
局106がAP104とアソシエーションを行なうと、２つのノードは、データ伝送スケジュールを確立してもよい。このデータ伝送スケジュールは、サービス期間のスケジュール開始時間を示す１つ以上のフレームまたはメッセージを交換することによって、サービス期間を示す。種々の異なる機構を使用して、サービス期間の時間を交換またはその時間に合意してもよい。例えば、IEEE 802.11eドラフト仕様により、自動省電力配信（Automatic Power-Save Delivery; APSD）を介した電力管理が可能になる。APSDは、２つの配信機構（計画的APSDおよび非計画的APSD）を提供する。局106、108は、非計画的サービス期間中にそのフレームの一部または全部をAP104から局に配信させるために、非計画的APSD（Unscheduled APSD; U-APSD）を使用する。非計画的サービス期間は、AP104がトリガメッセージを局106から受信する際に開始してもよい。計画的APSD（Scheduled-APSD; S-APSD）によると、計画的サービス期間中に局がフレームを送受信可能である場合に、局106は、サービス開始時間およびサービス間隔を示すデータ伝送スケジュールをAP104から受信する。例えば、APSDを使用することにより、局106は、電力状態をより低く維持し、次に、計画的または非計画的サービス期間中にデータを送受信のために活性化することによって、電力を節約し、かつ電池寿命を延ばすことが可能である。
【００３３】
例示的実施形態において、AP104は、多数の局106、108またはノードに同一のサービス期間を割り当ててもよいが、そうすることによって、場合により、これらの多数の局106、108の各々が、例えば、サービス期間の大部分（または全部）の間に活性化状態であることが必要とされる。PSMPフレーム（図2に示される例示的フレーム）により、複数の局106、108の各々にサブスケジュールを提供することが可能になる。これらのPSMPデータ伝送スケジュールまたはサブスケジュールは、例えば、ダウンリンク開始時間および継続時間（AP104から特定の局106への計画的伝送のための）、および／またはアップリンク開始時間および継続時間（特定の局がAP104へのデータ伝送を許可され得る計画的伝送時間のための）を示してもよい。DLT（ダウンリンク伝送）スケジュールおよび／またはULT（アップリンク伝送）スケジュールを含み得るPSMPフレームは、S-APSDサービス期間に従って伝送されてもよく、または、U-APSDの場合は、任意の時点（例えば、非計画的期間中）で伝送されてもよい。
【００３４】
図2は、例示的実施形態に従う、パワーセーブ・マルチポール（Power Save Multi Poll; PSMP）管理フレーム200などの、マルチポールメッセージのフォーマットを示す図である。図2に示されるフレームは、PSMPフレームなどの管理フレームのフォーマットのほんの一例に過ぎない。１つ以上のフィールドを省略してもよく、また、フレームは追加のフィールドを含んでもよく、および／またはフィールドは任意の順番であってもよく、および／または１つ以上のフィールドは、異なる名称で既知である場合がある。
【００３５】
管理アクションフレーム201は、例えば、MACアドレス情報およびその他のフィールドを含んでもよいMACヘッダ202と、フレーム本体204と、フレームチェックシーケンス（Frame Check Sequence; FCS）206とを含んでもよい。例示的実施形態において、フレーム本体204は、パワーセーブ・マルチポール（Power Save Multi Poll; PSMP）フレーム本体であってもよい。フレーム本体204は、例えば、高スループット（High Throughput; HT）（例えば、HT関連フレーム）を示す値に設定されるカテゴリフィールド210を含んでもよい。また、フレーム本体204は、PSMPフレームを示す値に設定されるアクションフィールド212を含んでもよい。
【００３６】
また、フレーム本体204は、PSMPパラメータセット214と、１つ以上の局情報フィールド（STA情報フィールド）216とを含んでもよい。PSMPパラメータセット214は、多数の局（N_STA）フィールド215を含んでもよく、このフィールド215は、フレーム本体204に存在する多数の局情報フィールド（STA情報フィールド）を示す。追加PSMPフィールド219は、例えば、このPSMPシーケンスの後に別のPSMPシーケンスが続くことを示すために1に設定されてもよく、また、本サービス期間中の最後のPSMPシーケンスであることを示すために0に設定されてもよい。PSMPシーケンスは、例えば、PSMPフレームを含んでもよく、その後に、PSMPフレームに示されるように、１つ以上の局から（ダウンリンク）および／または１つ以上の局へ（アップリンク）の計画的データ伝送が続く。PSMPシーケンス継続時間フィールド221は、PSMPフレームによって記述される現在のPSMPシーケンスの継続時間を示す。
【００３７】
前述のとおり、AP104は、１つ以上の局情報（STA情報）フィールド216に提供される情報に基づき、複数の局106、108に送信および／または複数の局106、108から受信してもよい。STA情報フィールド216は、局106毎に提供され、アップリンクおよび／またはダウンリンク伝送が、PSMPメッセージによってスケジュール化されてもよい（現在のPSMPシーケンスについて）。STA情報フィールド216の数は、N_STAフィールド215によって示される。ゆえに、図2に示されるPSMPフレーム本体204は、例えば、STA情報フィールド216A、216B、. . . 216Zなどの１つ以上のSTA情報フィールド216を含んでもよい。
【００３８】
各STA情報フィールド216は、複数のフィールドを含んでもよい、例示的実施形態によると、STA情報フィールド216におけるこれらのフィールドのうちの１つ以上は、多目的フィールド（例えば、計画的ユニキャストデータ伝送の通信に関連する第1の目的を実行する、および計画的マルチキャスト伝送の通信に関する第2の目的を実行する）であってもよい。例えば、これらのフィールドのうちの１つ以上は、計画的ユニキャストデータ伝送に関する第1の種類の情報（例えば、単一ノードからの送受信）を提供してもよく、また、計画的マルチキャストデータ伝送（多数の局への）に関する第2の（異なる）種類の情報を提供してもよい。これにより、STA情報フィールド216の１つ以上のフィールドを効果的に再利用可能にし、ユニキャストおよびマルチキャストの両方に対応してもよい。従って、例示的実施形態によると、PSMPフレーム204が同一のSTA情報フィールド216を使用して、ユニキャストデータ伝送およびマルチキャストデータ伝送の両方のスケジュール情報を提供してもよい。この場合、STA情報フィールド216内の１つ以上のサブフィールドは、異なる（または多数の）意味を有してもよく、あるいは異なる種類の情報（例えば、ユニキャストに関する第1の意味およびマルチキャストに関する第2の意味）を提供してもよい。
【００３９】
例示的実施形態において、移動マルチメディア/TVまたは映像アプリケーションによって、視聴中の共通のチャンネルを受信するように、例えば、そのチャンネルを視聴する局106、108のこのグループをマルチキャストアドレスに関連付けることによって、多数の局106、108またはノードをグループ化することが可能になる。これにより、局106、108または無線ノードの各々が、例えば、マルチキャスト伝送を介して本TV番組または映像情報を受信できるようになってもよい。これは、用途のほんの一例に過ぎず、本明細書に記載の種々の技術および実施形態は、幅広い用途に適用されてもよい。
【００４０】
図2において、一例示的実施形態に従うSTA情報フィールド216の種々のフィールドが示される。これらのフィールドの意味には、例えば２つの可能性があり、STA情報240は、計画的ユニキャストデータ伝送を記述するための例示的フィールドを示し、また、STA情報フィールド245は、計画的マルチキャストデータ伝送を記述するための例示的フィールドを示す（例えば、STA情報フィールド245は、STA情報フィールド240からの１つ以上のフィールドを再利用してもよい）。
【００４１】
ユニキャストデータ伝送（240）のSTA情報フィールド（216）は、トラフィックストリーム識別子（Traffic Stream Identifier; TSID）フィールド223Aを含んでもよく、このフィールドは、計画的アップリンクデータ伝送のためのデータをAP104に返送するために局106が使用可能または使用すべき１つ以上のTSIDを識別してもよい。しかしながら、例示的実施形態によると、TSIDフィールド223Aは、アップリンク方向におけるユニキャスト伝送に適用してもよいが、本TSIDフィールド223Aは、必ずしもマルチキャスト伝送（一般的にはダウンリンク伝送である）に適用可能であるとは限らない。従って、例示的実施形態によると、STA情報フィールド245におけるマルチキャストアドレス223Bとして示されるマルチキャストアドレスを識別するために、TSIDフィールド223をマルチキャスト伝送に再利用してもよい。例示的実施形態によると、例えば、TSIDフィールドは省略してもよい。
【００４２】
STA情報フィールド240において、局識別子（STA ID）フィールド225は、局106を識別してもよい（例えば、局106のMACアドレスの一部または局106のアソシエーションIDを使用して）。例示的実施形態において、STA情報フィールド245におけるSTA IDフィールド225は、マルチキャスト伝送を示すために0に設定されてもよい。さらに、STA IDフィールド225は、ブロードキャスト伝送を示すために全て1に設定されてもよい。
【００４３】
ダウンリンク伝送（Downlink Transmission; DLT）開始オフセットフィールド227は、計画的ダウンリンクデータ伝送（AP104から局106）の開始時間を示してもよく、また、ダウンリンク伝送（DLT）継続時間フィールド229は、ダウンリンク伝送の継続時間を示してもよい。これらのDLT関連フィールド（227、229）は、ユニキャスト伝送およびマルチキャスト伝送の両方に適用可能であってもよい（例えば、マルチキャストは、AP104から多数の局106、108へのダウンリンクデータ伝送であってもよい）。ゆえに、DLT関連フィールド（227、229）の両方をSTA情報フィールド240に含むことによって、計画的ユニキャストデータ伝送に関連する情報を通信してもよく、また、STA情報フィールド245に含むことによって、計画的マルチキャストデータ伝送（典型的には、ダウンリンク伝送であり得る）に関連する情報を通信してもよい。
【００４４】
アップリンク伝送（Uplink Transmission; ULT）（局106からAP104）開始オフセットフィールド231AおよびULT継続時間フィールド233Aは、ユニキャストデータ伝送のためのSTA情報フィールド240に提供されるが、マルチキャスト伝送には適用可能ではない （典型的には、例示的実施形態においてマルチキャストはダウンリンクであると考えられ得るため）。従って、２つのULT関連フィールド（231A、233A）のうちの１つ以上を再利用して、マルチキャストアドレスフィールド231Bおよび233Bとして示されるように、計画的マルチキャストデータ伝送のためのマルチキャストアドレスを通信してもよい。
【００４５】
従って、１つ以上のフィールド（例えば、TSID223A、ULT開始オフセット231A、ULT継続時間233A、またはその他のフィールドのうちの１つ以上）の各々は、計画的伝送がユニキャストまたはマルチキャストであるかに応じて多数の目的を含んでもよい。このようにして、マルチキャストに適用不可能であり得るまたはマルチキャスト伝送の記述に典型的には使用不可能であり得る１つ以上のフィールドを使用して、計画的マルチキャスト伝送のためのマルチキャストアドレスを通信または提供してもよい。例示的実施形態において、例えば、専用のマルチキャストアドレスフィールドを提供せずに、既存のフィールド（一般的には、ユニキャスト伝送の記述に使用される）を使用して、このマルチキャストアドレスを提供してもよいが、本開示はこれに限定されない。アドホックモード（例えば、１つの局106がその他の多数の無線局106、108にマルチキャストする）およびインフラストラクチャモード（AP104が無線局106、108にマルチキャストする）の両方に、種々の実施形態を適用してもよい。
【００４６】
代替実施形態において、アドホックモード（例えば、局がその他の局にマルチキャストする）またはインフラストラクチャモードで、PSMPフレーム200を伝送してもよい。本代替実施形態において、PSMPフレーム200は、多数のSTA情報フィールド216を含んでもよい。第1のSTA情報フィールド216において、TSIDフィールド223は、ポールフレームを示すように全て1に設定されてもよく、STA IDフィールド225は、マルチキャスト伝送スケジュール（およびマルチキャストフレーム）を示すように0に設定されてもよく、また、DLTおよびULTフィールドのうちの１つ以上は、マルチキャストアドレスを提供するように使用されてもよい。後続のSTA情報フィールド216は、例えば、マルチキャストグループの一部である１つ以上の受信側ノード関する情報のみを提供してもよい。これらの局特有のSTA情報フィールド216の各々は、AID（インフラストラクチャモード）またはマルチキャストグループにおける受信側ノードのMACアドレスの一部（アドホックモード）に、STA IDを設定してもよく、TSIDは、無関係であってもよく、ULTフィールドは、時間および継続時間に設定されて、受信側ノードが確認を送信してマルチキャストデータフレームの受信を確認することを可能にしてもよく、また、DLTフィールドは、代替的に、ユニキャストデータ伝送のスケジュール（例えば、開始時間および継続時間）を受信側ノードに提供するように使用されてもよい。本例において、マルチキャストデータ伝送は、PSMPフレーム200の伝送の直後に続いてもよいため（例えば、デフォルトの計画的伝送時間として）、マルチキャストデータ伝送のスケジュールを、PSMPフレーム200に必ずしも提供しなくてもよいことに留意されたい。これは、単に別の例示的実施形態に過ぎず、本開示はそれに限定されない。
【００４７】
図3は、例示的実施形態に従う無線ノードの動作を示すフローチャートである。310において、AP104は、１つ以上の受信側ノード（例えば、局106）のPSMP能力を決定してもよい。これは、能力情報を決定すること、または能力情報を無線ネットワーク102におけるその他のノードと交換することによって実行してもよい。また、AP104は、１つ以上の受信側ノード（例えば、局106）とアソシエーションしてもよい。
【００４８】
320において、サービス期間の開始時間などを確立するために、例えば、フレームを受信側ノードと交換することによって、１つ以上の受信側ノードの各々とデータ伝送スケジュールを確立してもよい。
【００４９】
330において、AP104は、無線ネットワーク102における１つ以上の受信側ノード毎に、計画的データ伝送時間および方向（例えば、アップリンクおよび／またはダウンリンク）を識別するために、管理フレーム（例えば、802.11n PSMPフレーム200）を伝送してもよい。管理フレームは、計画的ユニキャストデータ伝送に関する情報を提供するために、少なくとも１つの多目的フィールドを含んでもよく、あるいは、計画的マルチキャストデータ伝送のマルチキャストを示すために、既定値を設定してもよい。
【００５０】
例示的実施形態において、332において、管理フレームは、計画的ユニキャストデータ伝送のための受信側ノードのうちの１つを識別するために、局識別子をさらに含んでもよく、あるいは、計画的マルチキャストデータ伝送のためのマルチキャストを示すために、既定値を設定してもよい。
【００５１】
さらに別の例示的実施形態では、334において、計画的ユニキャストデータ伝送に関する情報は、1）１つ以上のユニキャストトラフィックストリームを識別するトラフィックストリーム識別子、2）アドレス指定された受信側ノードがデータを伝送し得る近似時間を示すアップリンク伝送開始オフセット、および3）アドレス指定された受信側ノードがデータを伝送し得る近似継続時間を示すアップリンク伝送、のうちの少なくとも１つを含んでもよい。
【００５２】
図4は、別の例示的実施形態に従う無線ノードの動作を示すフローチャートを示す。410において、パワーセーブ・マルチポール（Power Save Multi Poll; PSMP）フレーム200（例えば、IEEE 802.11n PSMPフレーム）は、伝送される計画的マルチキャスト伝送に関連する１つ以上のパラメータを識別するために、無線ネットワーク102において伝送されてもよい。このPSMPフレーム200は、マルチキャスト伝送を示す値に設定される第1のフィールド（例えば、局識別子（STA ID）フィールド225、またはマルチキャスト伝送を示すSTA情報タイプフィールド）と、マルチキャストアドレスを識別する第2のフィールドと、マルチキャスト伝送の時間を識別する第3のフィールド（例えば、ダウンリンク伝送（DLT）開始オフセットフィールド227）と、マルチキャスト伝送の継続時間を識別する第4のフィールド（例えば、ダウンリンク伝送（DLT）継続時間フィールド229）と、を含む。
【００５３】
図5は、例示的実施形態に従う、無線ノードに設けられてもよい装置500を示すブロック図である。無線ノード（例えば、局106またはAP104）は、例えば、信号を送受信するための無線送受信機502と、局の動作制御ならびに命令またはソフトウェアの実行のための制御装置504と、データおよび／または命令を格納するためのメモリ506とを備えてもよい。
【００５４】
無線ノードが、図2の管理アクションフレームなどの管理フレームを受信する場合、PSMPフレーム200によって決定されたスケジュールに基づいて、無線ノードは、ユニキャストトラフィック、マルチキャストトラフィック、またはその両方を受信するのか否かを決定することができる。無線局に向かうトラフィックが存在しないと決定される場合、無線局は、電力を節約し、低電力状態に入ることができる。
【００５５】
制御装置504は、上述の種々のタスクおよび機能を実行するために、プログラム可能であり、かつソフトウェアあるいはメモリまたはその他のコンピュータ媒体に格納されるその他の命令を実行可能である。例えば、制御装置504は、無線ネットワークにおける１つ以上の受信側ノード毎に計画的データ伝送の時間および方向を識別するために、管理フレームを送信するようにプログラム可能であってもよい。この管理フレームは、少なくとも１つの多目的フィールドを含む。少なくとも１つの多目的フィールドは、計画的ユニキャストデータ伝送に関する情報を提供してもよく、あるいは、計画的マルチキャストデータ伝送のマルチキャストアドレスを識別するための情報を提供してもよい。
【００５６】
別の例示的実施形態において、制御装置504は、計画的マルチキャストデータ伝送時間を識別するために、ブロードキャスト管理フレームを送信するようにプログラム可能であってもよい。管理フレームは、マルチキャストを示す値に設定される第1のフィールドと、可能性のある複数のマルチキャストアドレスのうちの選択された１つを識別する第2のフィールドと、マルチキャストデータ伝送の時間を示すダウンリンク伝送開始オフセットと、マルチキャストデータ伝送の継続時間を示すダウンリンク伝送継続時間と、を含んでもよい。
【００５７】
別の例示的実施形態において、制御装置504は、無線ネットワークにおける１つ以上の受信側ノードと、データ伝送スケジュールを確立するようにプログラム可能であってもよい。また、制御装置504は、データ伝送サブスケジュールを識別するために、データ伝送スケジュール中のある時点において、管理フレームを１つ以上の受信側ノードに伝送するようにプログラム可能であってもよく、管理フレームは、少なくとも１つの二重目的フィールドを含む。二重目的フィールドは、計画的ユニキャストデータ伝送に関連する情報を提供してもよく、あるいは計画的マルチキャストデータ伝送のマルチキャストアドレスを識別するために提供されてもよい。
【００５８】
さらに、格納された命令を含む記録媒体が設けられてもよく、この記録媒体は、制御装置またはプロセッサによる実行時に、制御装置504またはその他の制御装置またはプロセッサに、本明細書に記載の１つ以上の機能またはタスクを実行させるようにしてもよい。
【００５９】
図6は、別の例示的実施形態に従う無線ノードの動作を示すフローチャートである。610において、データ伝送スケジュールは、無線ネットワークにおける１つ以上の受信側ノードと確立されてもよい。
【００６０】
620において、管理フレームは、データ伝送サブスケジュールを識別するために、１つ以上の受信側ノードに伝送されてもよい。
【００６１】
管理フレームは、１つ以上のユニキャスト伝送の各々ためのユニキャスト情報フィールドであって、局IDと、ユニキャスト伝送のダウンリンク伝送時間または開始オフセットと、ユニキャスト伝送のダウンリンク伝送継続時間と、を少なくとも含むユニキャスト情報フィールドと、マルチキャスト伝送のためのマルチキャスト情報フィールドであって、マルチキャストを示すフィールドと、マルチキャスト伝送のダウンリンク伝送時間または開始オフセットと、マルチキャスト伝送のダウンリンク伝送継続時間と、マルチキャストアドレスと、を含むマルチキャスト情報フィールドと、を含む。
【００６２】
図7は、さらに別の例示的実施形態に従う無線ノードの動作を示すフローチャートである。710において、管理フレームは、１つ以上の無線受信側ノードまたは局のデータ伝送スケジュールを示すために、無線ネットワークを介して伝送されてもよい。管理フレームは、１つ以上のユニキャスト伝送の各々ためのユニキャスト情報フィールドであって、局IDと、ユニキャスト伝送のダウンリンク伝送時間または開始オフセットと、ユニキャスト伝送のダウンリンク伝送継続時間と、を少なくとも含むユニキャスト情報フィールドと、マルチキャスト伝送のためのマルチキャスト情報フィールドであって、マルチキャストを示すフィールドと、マルチキャスト伝送のダウンリンク伝送時間または開始オフセットと、マルチキャスト伝送のダウンリンク伝送継続時間と、マルチキャストアドレスと、を含むマルチキャスト情報フィールドと、を含んでもよい。
【００６３】
図8Aは、例示的実施形態に従うユニキャスト伝送のSTA情報フィールド810のフォーマットを示す図である。ユニキャストSTA情報フィールド810は、例えば、ユニキャストを示す値に設定されるSTA情報タイプと、伝送時間（または開始時間）を示すPSMPダウンリンクPSMP-DTT開始オフセット814と、ダウンリンク伝送継続時間を示すPSMP-DTT継続時間816と、局または無線受信側ノードを識別するSTA-IDフィールド818と、識別されたノードからAPまたはBSへのアップリンク伝送の開始時間を示すPSMP-UTT開始オフセット820と、アップリンク伝送の継続時間を示すPSMP-UTT継続時間822と、を含んでもよい。STA情報フィールド810は、例えば、計画的ユニキャスト伝送時間を示すために、APによってサービス接続されるまたはネットワーク内にある無線受信側ノード毎（または無線受信側ノードの１つ以上）に提供されてもよい。
【００６４】
図8Bは、例示的実施形態に従うブロードキャスト伝送のためのSTA情報フィールド820のフォーマットを示す図である。STA情報フィールド820は、ブロードキャスト伝送を示す値に設定されるSTA情報タイプ822と、ブロードキャスト伝送の開始時間を示すPSMP-DTT開始オフセット824と、ブロードキャスト伝送の継続時間を示すPSMP-DTT継続時間826と、を含んでもよい。
【００６５】
図8Cは、例示的実施形態に従うマルチキャスト伝送のSTA情報フィールド830のフォーマットを示す図である。STA情報タイプ832は、マルチキャスト（または、マルチキャスト伝送）を示す値に設定されてもよく、PSMP-DTT開始オフセット834は、本マルチキャスト伝送の開始伝送時間を示してもよく、PSMP-マルチキャストID838は、マルチキャストIDまたはマルチキャストアドレスを示してもよい。PSMPフレームにおいて（例えば、１つ以上のSTA情報フィールド内に）提供される伝送スケジュールは、１つ以上のユニキャスト伝送、ブロードキャスト伝送、および／またはマルチキャスト伝送を記述してもよく、典型的には、例えばPSMPフレームの後に続いてもよい。
【００６６】
本明細書に記載の種々の技術の実装は、デジタル電子回路において、あるいはコンピュータハードウェア、ファームウェア、ソフトウェア、またはその組み合わせにおいて実装されてもよい。実装は、コンピュータプログラム製品、つまり、機械可読記憶デバイスまたは伝播信号などの情報担体において有形に具現化されるコンピュータプログラムのように実装されて、プログラム可能プロセッサ、コンピュータ、または多数のコンピュータなどのデータ処理装置により実行され、またはそのデータ処理装置の動作を制御してもよい。上述のようなコンピュータプログラムなどのコンピュータプログラムは、コンパイラ型またはインタープリタ型言語を含む任意の形式のプログラミング言語でも書き込み可能であり、また、スタンドアロンプログラムとして、あるいはモジュール、コンポーネント、サブルーチン、またはコンピュータ環境における使用に適したその他のユニットとして含む任意の形式でも配置可能である。コンピュータプログラムは、１つのサイトにおいてあるいは多数のサイト間に分配されて、１つのコンピュータまたは多数のコンピュータ上で実行されるように配置可能であり、また、通信ネットワークによって相互接続されるように配置可能である。
【００６７】
方法のステップは、１つ以上のプログラム可能なプロセッサによって実行されてもよく、このプログラム可能なプロセッサは、入力データで動作し、かつ出力を生成することによって機能を実行するように、コンピュータプログラムを実行する。また、方法のステップは、例えば、フィールドプログラマブルゲートアレイ（Field Programmable Gate Array; FPGA）または特定用途向け集積回路（Application-Specific Integrated Circuit; ASIC）などの専用論理回路として実行されてもよく、また、装置は、その専用論理回路として実装されてもよい。
記載された実装に関する特定の特徴について本明細書に説明されたが、多くの修正、置換、変更、およびその同等物が当業者によって考察されるだろう。ゆえに、種々の実施形態の真の趣旨内にあるこのような修正および変更の全てを、添付の請求項が包含することを意図していることを理解されたい。 
【図１】
2009528744.tif 000003
【図２】
2009528744.tif 000004
【図３】
2009528744.tif 000005
【図４】
2009528744.tif 000006
【図５】
2009528744.tif 000007
【図６】
2009528744.tif 000008
【図７】
2009528744.tif 000009
【図８Ａ】
2009528744.tif 000010
【図８Ｂ】
2009528744.tif 000011
【図８Ｃ】
2009528744.tif 000012
【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
伝送されるマルチキャスト伝送に関する１つ以上のパラメータを識別するために、無線ネットワークにおいて管理フレーム（Management Frame）（200,201）を伝送することを含む方法であって、前記管理フレームが、
マルチキャスト伝送を示す値に設定される第1のフィールド（225または832）と、
マルチキャストアドレスを識別する第2のフィールド（233Bまたは838）と、
前記マルチキャスト伝送の時間を識別する第3のフィールド（227または834）と、
前記マルチキャスト伝送の継続時間（Duration）を識別する第4のフィールド（229または836）と、
を含む、方法。
【請求項２】
前記管理フレームは、パワーセーブ・マルチポール（Power Save Multi Poll; PSMP）フレーム（200）を含み、前記伝送することは、
PSMPシーケンスにおいて伝送される計画的マルチキャスト伝送（scheduled multicast transmission）に関連する１つ以上のパラメータを識別するために、前記無線ネットワークにおいて前記パワーセーブ・マルチポール（PSMP）フレームを伝送することを含み、前記PSMPフレームは、
前記PSMPシーケンス中に、前記マルチキャスト伝送の前記時間を識別する前記第3のフィールドであって、ダウンリンク伝送（Downlink Transmission; DLT）開始オフセットフィールドを含む前記第3のフィールドと、
前記マルチキャスト伝送の前記継続時間を識別する前記第4のフィールドであって、ダウンリンク伝送（DLT）継続時間フィールドを含む前記第4のフィールドと、
を含む、請求項1に記載の方法。
【請求項３】
前記無線ネットワークにおいて前記管理フレームを伝送することは、前記無線ネットワークにおいてパワーセーブ・マルチポール（PSMP）フレームを伝送することを含む、請求項1に記載の方法。
【請求項４】
前記無線ネットワークにおいて前記管理フレームを伝送することは、前記無線ネットワークにおいてIEEE 802.11nパワーセーブ・マルチポール（PSMP）フレームを伝送することを含む、請求項1に記載の方法。
【請求項５】
無線ネットワークにおける装置（500）であって、
計画的マルチキャストデータ伝送時間（scheduled multicast data transmission time）を識別するために、ブロードキャスト管理フレーム（broadcast management frame）を伝送するように構成され、前記ブロードキャスト管理フレームは、マルチキャストを示す値に設定される第1のフィールド（225または832）と、可能性のある複数のマルチキャストアドレスのうちの選択された１つを識別する第2のフィールド（233Bまたは838）と、前記マルチキャストデータ伝送の時間を示すダウンリンク伝送開始オフセット（227または834）と、前記マルチキャストデータ伝送の継続時間を示すダウンリンク伝送継続時間（229または836）と、を含む、装置。
【請求項６】
前記ダウンリンク伝送開始オフセットによって示されるおおよその前記時間に、１つ以上のマルチキャストデータフレームを前記マルチキャストアドレスに伝送するようにさらに構成される、請求項5に記載の装置。
【請求項７】
前記ブロードキャスト管理フレームは、パワーセーブ・マルチポール（PSMP）フレームを含む、請求項5に記載の装置。
【請求項８】
前記ブロードキャスト管理フレームは、IEEE 802.11nパワーセーブ・マルチポール（PSMP）フレームを含む、請求項5に記載の装置。
【請求項９】
無線ネットワークを介する無線通信のために設けられる装置（500）であって、
コンピュータ機器（504）と、
前記コンピュータ機器上で実行される際に、前記コンピュータ機器が、
・  無線ネットワークにおける１つ以上の受信側ノードと、データ伝送スケジュールを確立し（610）、
・  データ伝送サブスケジュールを識別するために、管理フレームを前記１つ以上の受信側ノードに伝送する（620）
ようにする命令と、
を含み、前記管理フレームが、
１つ以上のユニキャスト伝送の各々ためのユニキャスト情報フィールド（240または810）であって、局ID、前記ユニキャスト伝送のダウンリンク伝送時間または開始オフセット、および前記ユニキャスト伝送のダウンリンク伝送継続時間を少なくとも含むユニキャスト情報フィールドと、
マルチキャスト伝送のためのマルチキャスト情報フィールド（245または830）であって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、
を含む、装置。
【請求項１０】
前記ユニキャスト情報フィールドは、ユニキャストデータ伝送のためのSTA情報フィールドを含み、ユニキャストデータ伝送のための前記STA情報フィールドは、IEEE 802.11nパワーセーブ・マルチポール（PSMP）フレーム内に提供される、請求項9に記載の装置。
【請求項１１】
前記マルチキャスト情報フィールドは、マルチキャストデータ伝送のためのSTA情報フィールドを含み、マルチキャストデータ伝送のための前記STA情報フィールドは、IEEE 802.11nパワーセーブ・マルチポール（PSMP）フレーム内に提供される、請求項9に記載の装置。
【請求項１２】
１つ以上の無線受信側ノードまたは局のためのデータ伝送スケジュールを示すために、無線ネットワークを介して管理フレームを伝送すること（710）を含む方法であって、前記管理フレームが、
１つ以上のユニキャスト伝送の各々ためのユニキャスト情報フィールド（240または810）であって、局ID、前記ユニキャスト伝送のダウンリンク伝送時間または開始オフセット、および前記ユニキャスト伝送のダウンリンク伝送継続時間を少なくとも含むユニキャスト情報フィールドと、
マルチキャスト伝送のためのマルチキャスト情報フィールド（245または830）であって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、
を含む、方法。
【請求項１３】
前記伝送することは、パワーセーブ・マルチポール（PSMP）フレームを伝送することを含み、前記ユニキャスト情報フィールドは、ユニキャストデータ伝送のためのSTA情報フィールドを含み、前記マルチキャスト情報フィールドは、マルチキャストデータ伝送のためのSTA情報フィールドを含む、請求項12に記載の方法。
【請求項１４】
前記伝送することは、IEEE 802.11nパワーセーブ・マルチポール（PSMP）フレームを伝送することを含む、請求項12に記載の方法。
【請求項１５】
プロセッサにより実行される際に、１つ以上の無線受信側ノードまたは局のためのデータ伝送スケジュールを示すために、無線ネットワークを介して管理フレームを伝送すること（710）をもたらす命令を格納する記録媒体を備える製品であって、前記管理フレームが、
１つ以上のユニキャスト伝送の各々ためのユニキャスト情報フィールド（240または810）であって、局ID、前記ユニキャスト伝送のダウンリンク伝送時間または開始オフセット、および前記ユニキャスト伝送のダウンリンク伝送継続時間を少なくとも含むユニキャスト情報フィールドと、
マルチキャスト伝送のためのマルチキャスト情報フィールド（245または830）であって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、
を含む、製品。
【請求項１６】
無線送受信機と、
１つ以上の無線受信側ノードまたは局のためのデータ伝送スケジュールを示すために、無線ネットワークを介して管理フレームを伝送する（710）ように構成される制御装置と、
を備える装置であって、前記管理フレームが、
１つ以上のユニキャスト伝送の各々ためのユニキャスト情報フィールド（240または810）であって、局ID、前記ユニキャスト伝送のダウンリンク伝送時間または開始オフセット、および前記ユニキャスト伝送のダウンリンク伝送継続時間を少なくとも含むユニキャスト情報フィールドと、
マルチキャスト伝送のためのマルチキャスト情報フィールド（245または830）であって、マルチキャストを示すフィールド、前記マルチキャスト伝送のダウンリンク伝送時間または開始オフセット、前記マルチキャスト伝送のダウンリンク伝送継続時間、およびマルチキャストアドレスを含むマルチキャスト情報フィールドと、
を含む、装置。
【請求項１７】
前記管理フレームは、パワーセーブ・マルチポール（PSMP）フレームを含む、請求項16に記載の装置。
【請求項１８】
前記管理フレームは、IEEE 802.11nパワーセーブ・マルチポール（PSMP）フレームを含む、請求項16に記載の装置。
【請求項１９】
伝送されるマルチキャスト伝送に関する１つ以上のパラメータを識別するために、無線ネットワークにおいて管理フレーム（Management Frame）（200,201）を受信することを含む方法であって、前記管理フレームが、
マルチキャスト伝送を示す値に設定される第1のフィールド（225または832）と、
マルチキャストアドレスを識別する第2のフィールド（233Bまたは838）と、
前記マルチキャスト伝送の時間を識別する第3のフィールド（227または834）と、
前記マルチキャスト伝送の継続時間（Duration）を識別する第4のフィールド（229または836）と、
を含む、方法。
【請求項２０】
前記管理フレームは、パワーセーブ・マルチポール（Power Save Multi Poll; PSMP）フレーム（200）を含み、前記受信することは、
PSMPシーケンスにおいて伝送される計画的マルチキャスト伝送（scheduled multicast transmission）に関連する１つ以上のパラメータを識別するために、前記無線ネットワークにおいて前記パワーセーブ・マルチポール（PSMP）フレームを受信することを含み、前記PSMPフレームは、
前記PSMPシーケンス中に、前記マルチキャスト伝送の前記時間を識別する前記第3のフィールドであって、ダウンリンク伝送（Downlink Transmission; DLT）開始オフセットフィールドを含む前記第3のフィールドと、
前記マルチキャスト伝送の前記継続時間を識別する前記第4のフィールドであって、ダウンリンク伝送（DLT）継続時間フィールドを含む前記第4のフィールドと、
を含む、請求項19に記載の方法。
【請求項２１】
前記無線ネットワークにおいて前記管理フレームを受信することは、前記無線ネットワークにおいてパワーセーブ・マルチポール（PSMP）フレームを受信することを含む、請求項19に記載の方法。
【請求項２２】
受信されるトラフィックがユニキャストトラフィックであるかマルチキャストトラフィック、あるいはユニキャスト及びマルチキャストの両方のトラフィックであるかを前記管理フレームに含まれる前記時間及び前記継続時間に基づいて判断することを含む、請求項21に記載の方法。
【請求項２３】
無線ネットワークにおける装置（500）であって、
計画的マルチキャストデータ伝送時間（scheduled multicast data transmission time）を識別するために、ブロードキャスト管理フレーム（broadcast management frame）を受信するように構成され、前記ブロードキャスト管理フレームは、マルチキャストを示す値に設定される第1のフィールド（225または832）と、可能性のある複数のマルチキャストアドレスのうちの選択された１つを識別する第2のフィールド（233Bまたは838）と、前記マルチキャストデータ伝送の時間を示すダウンリンク伝送開始オフセット（227または834）と、前記マルチキャストデータ伝送の継続時間を示すダウンリンク伝送継続時間（229または836）と、を含む、装置。
【請求項２４】
前記ダウンリンク伝送開始オフセットによって示されるおおよその前記時間に、１つ以上のマルチキャストデータフレームを前記マルチキャストアドレスから受信するようにさらに構成される、請求項23に記載の装置。
【請求項２５】
前記ブロードキャスト管理フレームは、パワーセーブ・マルチポール（PSMP）フレームを含む、請求項23に記載の装置。
【請求項２６】
受信されるトラフィックがユニキャストトラフィックであるかマルチキャストトラフィック、あるいはユニキャスト及びマルチキャストの両方のトラフィックであるかを前記管理フレームに含まれる前記時間及び前記継続時間に基づいて判断することを含む、請求項23に記載の装置。
【国際調査報告】
2009528744.tif 000013
2009528744.tif 000014
2009528744.tif 000015
2009528744.tif 000016